(57)【特許請求の範囲】
【請求項１】
外面及び該外面の下側又は反対側に位置する装着面をもつ環状のドラムヘッドフレーム、該フレームの該外面及び該装着面の回りに位置するスキン、該スキンを該装着面で該フレームに堅固に装着する手段、及び該スキンに張力を加える張力付加手段をもち、該張力付加手段が該スキンを押圧するための面をもち且つ該フレームに接触した状態で移動可能であって該フレームに対して該張力付加手段の面を調節可能に移動させる手段をもつことを特徴とする一体型ドラムヘッド組立部材。
【請求項２】
該フレームが該装着面に溝をもつ請求項１記載のドラムヘッド組立部材。
【請求項３】
該装着手段が該溝内部に配したリングをもつ請求項２記載のドラムヘッド組立部材。
【請求項４】
該張力付加手段が該フレームの下側又は反対側に位置している請求項１記載のドラムヘッド組立部材。
【請求項５】
該張力付加手段が該スキンと接触するための支持リング及びねじをもち、該ねじは該支持リングを移動させて該スキンに対して圧力を付与する請求項１記載のドラムヘッド組立部材。
【請求項６】
該スキンがその端部にねじを受け容れる孔をもつ請求項５記載のドラムヘッド組立部材。
【請求項７】
該フレームがねじ受け容れ用の孔をもち、回転するねじを受け容れる請求項５記載のドラムヘッド組立部材。
【請求項８】
該ねじ受け容れ用の孔が装着手段をも通過している請求項７記載のドラムヘッド組立部材。
【請求項９】
該支持リングがテーパ状の上面をもつ請求項５記載のドラムヘッド組立部材。
【請求項１０】
該支持リングが環状である請求項５記載のドラムヘッド組立部材。
【請求項１１】
該支持リングが該フレームに接触するぶらさがり型リップをもつ請求項５記載のドラムヘッド組立部材。
【請求項１２】
該ぶらさがり型リップと該フレームが互いに係合するノッチ付き表面をもつ請求項１１記載のドラムヘッド組立部材。
【請求項１３】
該フレームと該支持リングがプラスチック製である請求項１２記載のドラムヘッド組立部材。
【請求項１４】
該ぶらさがり型リップと該フレームが互いに係合するねじ山のついた表面をもつ請求項１１記載のドラムヘッド組立部材。
【請求項１５】
該フレームと該支持リングがプラスチック製である請求項１４記載のドラムヘッド組立部材。
【請求項１６】
該ねじの少なくとも１個と該支持リングとの間にフランジをもつ請求項５記載のドラムヘッド組立部材。
【請求項１７】
該ねじは８個あるねじの１つであり、８個のねじは該支持リングを移動させて該スキンに対し圧力を付与する請求項１６記載のドラムヘッド組立部材。
【請求項１８】
該フレームはその周囲にくぼみをもつ請求項１記載のドラムヘッド組立部材。
【請求項１９】
該張力付加手段が該くぼみにおいて該フレームと該スキンの回りに張力ワイヤをもつ請求項１８記載のドラムヘッド組立部材。
【請求項２０】
該ドラムヘッド組立部材をドラム本体に取りつけるための手段を更にもつ請求項１記載のドラムヘッド組立部材。
【発明の詳細な説明】
【０００１】
本発明は、一般にドラムヘッド組立部材に関する。更に特定すれば、本発明は、一体型のスキンのクランピング及び張力付加手段を備えたドラムヘッド或はフレームドラムに関する。
【０００２】
本発明によれば、へッド張力をシェルに移送し、多くの形式と寸法のドラムに対し使用に適した、外部リム、ラグ、側板もしくは他のハードウェアを必要としない一体型ドラムヘッド組立部材が提供される。
【０００３】
多数の形式のドラムヘッド（皮）とドラムヘッド装着用組立部材が楽器の技術分野でよく知られている。典型的に、ドラムヘッド又はスキン（動物の皮もしくは合成材料のいずれから製作されるかでそのように呼ばれる）はドラム本体の開放トップ（及び／もしくは底部）にまで張られて、留め金やフックによりドラム本体の外部に取り付けられる。一般的には満足であるけれどもこの形式のドラムはある欠点を有することが見出された。例えば、これらの形式のドラムヘッドは多くの場所でドラム本体に永久に固着され、分解操作を困難又は不可能にするものである。その上これらは、審美的に望ましくないかさばったリムと外部取付用ハードウェアを典型的にもっており、演奏者の自由な演奏即ち特に手による演奏を阻害するものである。
【０００４】
伝説的なドラムヘッド組立部材は又同調と調整が困難である。装着用ハードウェアのように、典型的な張力を加えるハードウェアは外部に配置され、そこでは演奏者の演奏する能力が限定されるものである。このハードウェアは安全性の危険を引き起こす原因であり、審美的にも望ましいものではない。内部張力付加手段も知られているが、永久に固定されたドラムヘッドをもつドラムにおいてはアクセスしたり操作したりすることが困難である。
【０００５】
したがって、その使用を阻害したり、ドラムの外見の価値を落とすものではないけれども使用者にとって受け入れやすい張力付加手段と装着手段を有するドラムヘッドが望まれている。
【０００６】
したがって、本発明の目的とするところは、単一の分離したユニットにおいてスキン、フレームおよび張力付加手段を持つ一体型ドラムヘッド組立部材を提供することである。
【０００７】
本発明のもうひとつの目的は伝統的なドラムリムを使用しない、したがって改良された使い易さと外見を有し、邪魔にならない演奏表面を与えるこのようなドラムヘッドを提供するものである。
【０００８】
本発明の別の目的は、クランプ動作により、除去可能な如くスキン部を保証し、接着剤やスキンワイヤとして知られる伝統的な装着用リングの必要性を除去するドラムヘッド組立部材を提供することである。
【０００９】
更に別の本発明の目的は、支持（ベアリング）リングに対してフレームの回転もしくはラチェット（つめ車）をつけることにより調節したり再張力付加がなされ得るドラムヘッド組立部材を提供することである。
【００１０】
更に別の本発明の目的は、シェル（胴部）を必要とすることなくスキン用の種々の材料の試験を可能とすることである。
【００１１】
したがって、本発明は一体型ドラムヘッド組立部材を開示するものであり、この一体型ドラムヘッド組立部材は、外面及び該外面の下側又は反対側に位置する装着面をもつドラムヘッドフレーム、該フレームの該外面及び該装着面の回りに位置するスキン、該スキンを該装着面で該フレームに堅固に装着する手段、及び該スキンに張力を加える張力付加手段をもち、該張力付加手段が該スキンを押圧するための面をもち且つ該フレームに対して該張力付加手段の面を調節可能に移動させる手段をもつことを特徴とするものである。
【００１２】
図面、本発明に係る好適な実施例のドラムヘッド組立部材を示す図１を参照すれば、一般に参照番号１０により説明されるドラムヘッド組立部材が示される。このドラムヘッド組立部材１０は、フレーム１２に、スキン１４、スキン装着用リング１６、支持リング１８、および１つ以上（好ましくは少なくとも３個）のねじ２０を備えている。集合的に、これらの要素はフレームドラムを構成するが、これは分離型ドラム本体と独立して使用可能である。
【００１３】
好ましくは、フレーム１２の寸法は、ドラム本体（図示されていない）の頂上部外径より少し小さい内径（垂直取付用）もしくは少し大きい内径（望遠鏡的取付用）を有している。ドラムヘッド組立部材１０は、完全なドラムヘッド組立部材を形成するために、ドラム本体の開放頂上の上に取り外し可能な如くに装着される。シェルを通ってドラムヘッド組立部材１０の下側に入るねじのような分離式装着手段又はシェルに付随してシェル内側上にあるフランジを通る分離式装着手段はドラムヘッド組立部材１０をドラム本体に装着するように使用可能である。一つの好適な垂直装着手段は図７に示されている。
【００１４】
フレーム１２は溝２２を形成している下部表面を有する。溝２２はスキン装着用リング１６を受け容れるように設計される。スキン装着用リング１６はねじ、リベット、ピン等で固定可能である。これによってスキン１４をフレーム１２を超えて拡大可能とし、フレームとスキン装着用リングの間で安全にクランプ可能とする。別の変形例によれば、テーパ付きのスキン装着用リング１６をしてハードウェアなしでスキン１４をロックさせ得る。更に、スキン装着用リング１６は内部あるいは外部（図９参照）に配されうる。好ましくは、スキン１４とスキン装着用リング１６とは孔２６、３２を有し、支持リング１８に与える際にねじ２０をこれらの孔を通してフレーム１２を通り抜けるようにすることができる。
【００１５】
ねじ２０は支持リング１８をスキン１４に対して配置するのに用いたり、張力を与えてドラムヘッド組立部材１０のピッチを調節するのに用いられる。支持リング１８はフレーム１２内部で周辺方向に配することが好ましい。ねじ２０は第１の端において支持リング１８に対し接し、第２の端に堅く締めることの可能なヘッドを有することが好ましい。ねじ２０は通常のねじでよいが、Ａｌｌｅｎ型ヘッドねじであることが好ましい。フレーム１２はねじ２０を受け入れ係合するためにねじ切りのある孔３２を備えているが、これは使用者によりヘッド３０にトルクが加えられた時、ねじ２０が孔３２内で回転し、支持リング１８を上方に押し上げるようにするためである。したがって、支持リング１８はスキン１４に対し圧力を加え張力を与えてゆるむスキンをしっかり締め付けスキンの音色を変化させるようにする。反対方向にねじ２０を回転させてスキン１４上の張力を緩和させ、低い音調とゆるんだスキンをもたらす。孔３２はスキン装着用リング１６を通過するのが好ましく、同様にねじ２０の回転を邪魔しない孔２６を通過するのが好ましい。
【００１６】
支持リング１０とスキン１４の間の摩擦接触が低いことが好ましく、そのためには、支持リング１８はテーパー状の上向き面を持つことが好ましい。円くなった輪郭が好ましい。
【００１７】
支持リング１８は（用語「リング」に示されるように）環状であるのが好ましいが、しかし他の幾何学的形状でも使用可能である。このことはまたフレーム１２とスキン装着用リング１６についてもいえることである。更に、支持リング１８とスキン装着用リング１６とはまた複数の非連続的個別要素から構成されるが、この要素はスキン（支持リング１８）上で張力を変化させたりスキンを溝２２（装着用リング１６）に保持するように縦並びに（直別式に）作動する。支持リング１８とねじ２０とはフレーム１２の一番奥の面を通って内側に伸びることが好ましい。これによってドラムヘッド組立部材１０をドラム本体上に装着するのに便利であり、ユーザーがヘッド３０をアクセスしたり回転させるための間隔を与える。
【００１８】
図２は本発明のドラムヘッド組立部材１０別の好適な実施例を示すもので、同様の要素は同様の番号で示される。この実施例は図１の実施例とは支持リング１８とフレーム１２の形状が主として異なっている。支持リング１８はその輪郭が尚円形であるのが好ましいけれども、図１のものより大きな幅を持っている。支持リング１８はまたフレーム１２の内面に接し、ねじ２０により上下に移動される時はフレーム１２の内面に沿って滑らかに進む付属のぶらさがり型リップ３４を備えている。
【００１９】
図３は本発明のドラムヘッド組立部材１０更に好適な実施例を示している。それは図２のそれと実質的に同じ構造のフレーム１２を備えている。しかしながら、図３の実施例において、支持リング１８は付属のリップ３４を持たないが、その代りフレーム１２の内面に実質的に平行な平坦な面において終了する。フレーム１２と支持リング１８の間に介在するのは、好ましくはスチール（鋼）より作られ、かつ好ましくはＴ形の断面をもつことが好ましいフランジ３６である、ねじ２０はスキン装着用リング１６とフレーム１２を通過する。したがって、ねじ２０はフランジ３６に直接に作用し、フランジ３６に加えられた力は支持リング１８とスキン１４に移行される。フランジ３６は長期間ねじ２０により傷つけられることが殆どない耐久性のある表面を与える。
【００２０】
図４は本発明のドラムヘッド組立部材１０の別の好適な実施例を示している。この実施例において、支持リング１８は図２の実施例のそれに類似の構造を有している。しかしながら、支持リング１８のぶらさがり型リップ３４はノッチ付表面３８を有し、フレーム１２のノッチ付内面とかみ合う。支持リングリング１８は歯車運動によりフレーム１２に対して上下に調節される。支持リング１８のノッチ付きぶらさがり型リップ３４は圧力フィットによりフレーム１２上のノッチに保持される。支持リング１８にかかる上方圧力、好ましくはぶらさがり型リップ３４の底面４０にかかる圧力は支持リング１８をして１つ以上のノッチを上方に歯止めさせる。この圧力は製造中機械的手段により印加されることが好ましい。支持リング１８とフレーム１２におけるノッチは図４に示す上方バイアスを有する場合に、スキン１４が取除かれなければ支持リング１８の下方調整は不可能である。したがって、この実施例は組立部材におけるスキンの締め付けのみを説明するもので、全レンジにわたっての調節可能性を説明するものではない。このような構造はおもちゃのドラムや同様の製品により適しているものであろう。この実施例には示されていないけれども、ねじ２０は同様に支持リング１８に上向きの力として作用するように、ドラムヘッド組立部材１０に合体化可能である。
【００２１】
図５の実施例は図４のそれに殆ど同様であるが、例外として考えられる点は、支持リング１６のぶらさがり型リップ３４とフレーム１２とは係合するノッチ付き面の代わりに、係合するねじ込み面を有する点である。これは支持リングを回転することにより、フレーム１２に対して支持リング１８をして上下に調節されるようにすることができる。図４の実施例のようにこのユニークな構造により張力を与えたり調節することが容易であり、又極めて少ない部品から成立っているドラムが得られる。したがって図４と図５の実施例とは、成形されたプラスチック部品から完全に製造されるのに適している。
【００２２】
図６に示されたドラムヘッド組立部材１０の別の好適な実施例は先の実施例のスキン装着用リング１６を備えている。フレーム１２は先の実施例の支持リング１８の円い輪郭を有し、又スキン装着用リング１６を受容れるための溝２２を備えている。フレーム１２に設けられたくぼみ４２は、スキン１４の反対側のフレーム１２の回りに装着された張力ワイヤ４４を受容れるように設計されている。この実施例において、張力ワイヤ４４はスキン１４に対し張力を加えたり緩めたりするための支持リング１８として作用する。張力ワイヤ４４はフレーム１２上のくぼみ４２内に引張られ張力ワイヤ４４が張力ワイヤ４４の各端に結びつけられたクランプ部（４９、５０）を引張ることにより引締められ（図９参照）、かつねじ４８により一緒に保持されている。他の可能な方法はホースクランプ、２重ボルトクランプ、又はスパイラル２重ボルトクランプの使用を含んでいる。スキン上の張力を増加するために周辺の圧力を内側に与えるという同じ目的のためにすべてが作動する。
【００２３】
前述の実施例において、ドラムヘッド組立部材１０の種々の要素は種々の材料から製作され得る。ねじ２２はプラスチックや金属のように固く、耐久性のある材料から作製されるのが好ましい。フレーム１２、支持リング１８とスキン装着用リング１６とはプラスチック、木材、金属もしくは他の材料から作製され得る。スキン１４はプラスチック、マイラー、織物、動物の皮、もしくはこれらの組合せ（例えばビニル被覆の織物）の如く薄い材料から作製可能である。上に論じたように、図３の実施例のフランジ36は鋼鉄（スチール）から製作されるのが好ましい。
【００２４】
本発明のドラムヘッド組立部材１０はドラム本体に容易に装着され、かつそれから容易に取りはずされる。更にスキン１４は安全に装着されるための精密なもしくは高価なエッジや接着剤でつけたリムなどを必要としない。
【００２５】
図７は図１のドラムヘッド組立部材１０のフレーム１２を示す。孔３２は内側の１組として示されている。孔３２の数は、支持リング１８の剛性に依存するが、ここでは例として８個の孔３２をつ例を示している。外側の１組の装着用の孔４６もまた示されている。外側の孔４６の数の８個はここでは１例として示されているが、スキン装着用リング１６の剛性に依存する。装着用の孔４６は更にフレーム12とスキン装着用リング１６を更に結合するために装着用ピン（図示されてない）を受容れるように設計され、又ドラム本体に噛合せ用の孔を係合するためにフレーム１２に下に選択的に下がるように設計されている。装着方法は使用されているドラムシェルの材料と形状に依存する。この装着方法は、より簡単で費用の安いドラムを必要とする場合に、装着用ピンに接着剤を使用することにより選択的に永続され得る。
【００２６】
図８は本発明のドラムヘッド組立部材１０の別の好適な実施例を述べるものである。この実施例において、フレーム１２は図６の実施例の構造に類似した構造を有する。しかしながら図８の実施例において、張力部４６に隣接するフランジ４７を備えたねじ２０により張力が発生される。４５は一般的なドラムレンチに係合する握持可能なヘッドである。このような構造により、ドラムヘッド組立部材１０をしていかなる形のシェル上でも使用可能であり、かつ張力を加えることを組立部材１０の外側上行うようにさせるものである。
【００２７】
図９は、図６のドラムヘッド組立部材１０を用いて使用されるべきケーブル張力付加方法を説明するものである。図９は静止した板４９に添付された一方の終端と、静止板４９に直線方向に動くが回転はしないように取りつけた摺動板５０に接続された他方の終端とを持つケーブル４４を備えている。把握可能なヘッド３０が回転され、ねじ４８を回転し、摺動板５０を静止板４９近くまで引き寄せる時に張力が加えられる。十分な圧力が円周方向でスキン１４に一旦加えられると、圧力を増加・減少するための最終調整はねじ４８の調節回転により行われる。
【００２８】
図１０はフレーム１２の外側に装着されたもう一つの装着用リング５１の別の実施例を示している。フレーム１２の張力付加方法は示されていない。装着用リング５１はスキン装着用リング１６に対し述べられたと同様の方法により、フレーム１２の外部の低部に装着され得る。
【００２９】
図１１はフレーム１２の内側に装着されているもう一つの装着用リング５２の別の実施例を示している。フレーム１２の張力付加方法は示してない。ここで装着用リング５２はスキン装着用リング１６について説明したのと同様の方法によりフレーム１２の内側底部に装着され得る。
【００３０】
図１２はまたフレーム１２に装着されているもう一つの装着用リング５２の別の実施例を示す。フレーム１２の張力付加方法は再び示していない。この実施例において、装着用リング５３はフレーム12に圧入され、（図示されてない）シェルの添付により含まれる。
【００３１】
種々の変形が当該技術の専門家に明らかとなるように作成することができる。したがって当該技術における通常の技術を有する人にとって、上記明細書と図面は単に本発明のある好適な実施例を図示するのみならず、また種々の明瞭な変形が、添付請求の範囲内でこれらの実施例に対し行われ得ることは明らかであろう。
【図面の簡単な説明】
【図１】図１は本発明に係るドラムヘッド組立部材の第１の実施例を示す部分的断面図である。
【図２】図２は本発明に係るドラムヘッド組立部材の第２の実施例を示す部分的断面図である。
【図３】図３は本発明に係るドラムヘッド組立部材の第３の実施例を示す部分的断面図である。
【図４】図４は本発明に係るドラムヘッド組立部材の第４の実施例を示す部分的断面図である。
【図５】図５は本発明に係るドラムヘッド組立部材の第５の実施例を示す部分的断面図である。
【図６】図６は本発明に係るドラムヘッド組立部材の第６の実施例を示す部分的断面図である。
【図７】図７は図１のドラムヘッド組立部材におけるフレームの底面図である。
【図８】図８は本発明に係るドラムヘッド組立部材の第８の実施例を示す部分的な断面図である。
【図９】図９は図１ないし図８に示されたような張力付加の変形例のない、第２の装着用リングの実施例の部分的断面図である。
【図１０】図１０は図１ないし図８に示された如き張力付加の変形例のない、第３の装着用リングの実施例の部分的断面図である。
【図１１】図１１は図１ないし図８の張力付加の変形例のない、第４の装着用リングの実施例の部分的断面図である。
【図１２】図１２は図１ないし図８の加張力の変形例のない、第５の装着用リングの実施例の部分的断面図である。
【図１】
0003827945.tif 000002
【図２】
0003827945.tif 000003
【図３】
0003827945.tif 000004
【図４】
0003827945.tif 000005
【図５】
0003827945.tif 000006
【図６】
0003827945.tif 000007
【図７】
0003827945.tif 000008
【図８】
0003827945.tif 000009
【図９】
0003827945.tif 000010
【図１０】
0003827945.tif 000011
【図１１】
0003827945.tif 000012
【図１２】
0003827945.tif 000013